(57)【特許請求の範囲】
【請求項１】
第１の基地局と、前記第１の基地局よりもカバレッジエリアの狭い第２の基地局と、を有する移動通信システムにおける通信制御方法であって、
前記第２の基地局が、自局が受ける上りリンクの干渉を示す情報を前記第１の基地局へ送信するステップＡと、
前記第１の基地局及び／又は前記第２の基地局が、前記第２の基地局のカバレッジエリア端周辺の無線環境を変動させる処理を行うステップＢと、
前記第１の基地局が、自局に接続する第１のユーザ端末から報告される無線環境情報に基づいて特定した前記第１のユーザ端末のハンドオーバー処理を行うステップＣと、
を有することを特徴とする通信制御方法。
【請求項２】
前記ステップＣにおいて、前記第１の基地局が、自局に接続する第１のユーザ端末から報告される無線環境情報に基づいて、前記第１のユーザ端末の中から前記上りリンクの与干渉ユーザ端末を特定し、前記特定した与干渉ユーザ端末のハンドオーバー処理を行う請求項１に記載の通信制御方法。
【請求項３】
前記ステップＢは、
前記第１の基地局が、前記第２の基地局のカバレッジエリア端周辺の無線環境を変動させるように、自局の送信指向性を制御する指向性制御ステップを含むことを特徴とする請求項２に記載の通信制御方法。
【請求項４】
前記ステップＢは、
前記第１の基地局が、前記第２の基地局に接続する第２のユーザ端末と前記第１の基地局との間の伝搬路特性に基づく所定情報の送信を要求するステップと、
前記第２の基地局が、前記第２のユーザ端末から報告される前記所定情報を前記第１の基地局に転送するステップと、
をさらに含み、
前記指向性制御ステップにおいて、前記第１の基地局は、前記第２の基地局から転送された前記所定情報に基づいて、前記送信指向性を制御することを特徴とする請求項３に記載の通信制御方法。
【請求項５】
前記ステップＢは、
前記第１の基地局が、前記第２の基地局から送信される参照信号を受信すると、前記受信した参照信号の到来方向を推定するステップと、
前記第２の基地局が、自局のカバレッジエリアのサイズを示すサイズ情報を前記第１の基地局に通知するステップと、
をさらに含み、
前記指向性制御ステップにおいて、前記第１の基地局は、前記推定した到来方向及び前記第２の基地局から通知された前記サイズ情報に基づいて、前記送信指向性を制御することを特徴とする請求項３に記載の通信制御方法。
【請求項６】
前記ステップＢは、
前記第２の基地局が、自局のカバレッジエリア端周辺の無線環境を変動させるように、自局の送信指向性を制御する指向性制御ステップを含むことを特徴とする請求項２に記載の通信制御方法。
【請求項７】
前記ステップＢは、
前記第１の基地局が、前記送信指向性の制御開始を前記第２の基地局に要求するステップと、
前記第２の基地局が、前記送信指向性の制御を開始するにあたり、前記送信指向性の制御開始を前記第１の基地局に通知するステップと、
前記第２の基地局が、前記送信指向性の制御を終了するにあたり、前記送信指向性の制御終了を前記第１の基地局に通知するステップと、
をさらに含むことを特徴とする請求項６に記載の通信制御方法。
【請求項８】
前記ステップＢは、
前記第１の基地局が、前記第２の基地局のカバレッジエリア端周辺の無線環境を変動させるように、自局の送信電力を制御する送信電力制御ステップを含むことを特徴とする請求項１に記載の通信制御方法。
【請求項９】
前記ステップＢは、
前記第１の基地局が、前記送信電力の制御開始を前記第２の基地局に要求するステップと、
前記第２の基地局が、前記送信電力の制御を開始するにあたり、前記送信電力の制御開始を前記第１の基地局に通知するステップと、
前記第２の基地局が、前記送信電力の制御を終了するにあたり、前記送信電力の制御終了を前記第１の基地局に通知するステップと、
をさらに含むことを特徴とする請求項８に記載の通信制御方法。
【請求項１０】
前記ステップＣにおいて、前記第１の基地局は、前記ステップＢの期間内で前記第１のユーザ端末から複数回報告される前記無線環境情報の変動量が、閾値を超える場合に、当該第１のユーザ端末を前記与干渉ユーザ端末として特定することを特徴とする請求項２に記載の通信制御方法。
【請求項１１】
前記ステップＣにおいて、前記第１の基地局は、前記ステップＢよりも前に前記第１のユーザ端末から報告された前記無線環境情報に前記第２の基地局に対する測定結果の情報が含まれていない場合で、前記ステップＢの期間内で当該第１のユーザ端末から報告された前記無線環境情報に前記第２の基地局に対する測定結果の情報が含まれている場合に、当該第１のユーザ端末を前記与干渉ユーザ端末として特定することを特徴とする請求項２に記載の通信制御方法。
【請求項１２】
前記ステップＣは、
前記第１のユーザ端末から報告される第１の無線環境情報に基づいて、前記第１のユーザ端末の中から前記与干渉ユーザ端末の候補とすべき対象ユーザ端末を選出するステップＣ１と、
前記ステップＣ１で選出された前記対象ユーザ端末から報告される第２の無線環境情報に基づいて、前記対象ユーザ端末の中から前記与干渉ユーザ端末を特定するステップＣ２と、
を含むことを特徴とする請求項２に記載の通信制御方法。
【請求項１３】
第１の基地局と、前記第１の基地局よりもカバレッジエリアの狭い第２の基地局と、を有する移動通信システムであって、
前記第２の基地局は、自局が受ける上りリンクの干渉を示す情報を前記第１の基地局へ送信し、
前記第１の基地局及び／又は前記第２の基地局は、前記第２の基地局のカバレッジエリア端周辺の無線環境を変動させる処理を行い、
前記第１の基地局は、自局に接続する第１のユーザ端末から報告される無線環境情報に基づいて特定した前記第１のユーザ端末のハンドオーバー処理を行う、
ことを特徴とする移動通信システム。
【請求項１４】
移動通信システムにおける基地局であって、
他の基地局のカバレッジエリア端周辺の無線環境を変動させるように、送信指向性又は送信電力を制御する制御部を有し、
前記制御部は、自局に接続するユーザ端末から報告される無線環境情報に基づいて特定した前記ユーザ端末のハンドオーバー処理を行うことを特徴とする基地局。
【発明の詳細な説明】
【技術分野】
【０００１】
本発明は、ヘテロジーニアスネットワークにおける通信制御方法、移動通信システム、及び基地局に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）は、３ＧＰＰリリース１０以降において、ＬＴＥ（Ｌｏｎｇ  Ｔｅｒｍ  Ｅｖｏｌｕｔｉｏｎ）を高度化したＬＴＥ  Ａｄｖａｎｃｅｄの標準化を進めている（例えば、非特許文献１参照）。【０００３】
ＬＴＥ−Ａｄｖａｎｃｅｄでは、高電力基地局（いわゆる、マクロ基地局）のカバレッジエリアに低電力基地局（いわゆる、ピコ基地局やホーム基地局）が配置されるヘテロジーニアスネットワークの提供が検討されている。ヘテロジーニアスネットワークは、高電力基地局の負荷を低電力基地局に分散させることが可能である。
【先行技術文献】
【非特許文献】
【０００４】
【非特許文献１】３ＧＰＰ  ＴＳ  ３６．３００  ｖ１０．４．０
【発明の概要】
【０００５】
ヘテロジーニアスネットワークでは、高電力基地局と低電力基地局とが同一のキャリア（周波数帯）を使用する場合に、高電力基地局に接続するユーザ端末が低電力基地局のカバレッジエリア端周辺に居ると、当該低電力基地局が当該ユーザ端末からの上りリンク干渉を受ける。
【０００６】
ここで、どのユーザ端末が干渉源であるかを把握できれば、干渉源のユーザ端末（以下、「与干渉ユーザ端末」と称する）を他のキャリアにハンドオーバするなどによって、当該上りリンク干渉を解決できると考えられる。
【０００７】
しかしながら、低電力基地局は、上りリンク干渉を受けていることは把握できるものの、与干渉ユーザ端末を特定できない問題がある。
【０００８】
また、高電力基地局及びそれに接続するユーザ端末は、当該ユーザ端末が低電力基地局に上りリンク干渉を与えていることを把握できず、与干渉ユーザ端末も特定できない問題がある。
【０００９】
そこで、本発明は、上りリンクの与干渉ユーザ端末を特定できる通信制御方法、移動通信システム、及び基地局を提供する。
【００１０】
本発明に係る通信制御方法は、第１の基地局（例えばＭｅＮＢ１００−１）と、前記第１の基地局よりもカバレッジエリアの狭い第２の基地局（例えばＰｅＮＢ１００−２）と、を有する移動通信システムにおける通信制御方法であって、前記第２の基地局が、自局で検知した上りリンクの干渉を示す情報を前記第１の基地局へ送信するステップＡと、前記第１の基地局及び／又は前記第２の基地局が、前記第２の基地局のカバレッジエリア端周辺の無線環境を変動させる処理を行うステップＢと、前記第１の基地局が、自局に接続する第１のユーザ端末（例えばＭＵＥ２００−１）から報告される無線環境情報に基づいて、前記第１のユーザ端末の中から前記上りリンクの与干渉ユーザ端末を特定するステップＣと、を有することを特徴とする。
【００１１】
本発明に係る通信制御方法の他の特徴によれば、前記ステップＢは、前記第１の基地局が、前記第２の基地局のカバレッジエリア端周辺の無線環境を変動させるように、自局の送信指向性を制御するステップを含むことを特徴とする。
【００１２】
本発明に係る通信制御方法の他の特徴によれば、前記ステップＢは、前記第１の基地局が、前記第２の基地局に接続する第２のユーザ端末（例えばＰＵＥ２００−２）と前記第１の基地局との間の伝搬路特性に基づく所定情報の送信を要求するステップと、前記第２の基地局が、前記第２のユーザ端末から報告される前記所定情報を前記第１の基地局に転送するステップと、をさらに含み、前記指向性制御ステップにおいて、前記第１の基地局は、前記第２の基地局から転送された前記所定情報に基づいて、前記送信指向性を制御する。
【００１３】
本発明に係る通信制御方法の他の特徴によれば、前記ステップＢは、前記第１の基地局が、前記第２の基地局から送信される参照信号を受信すると、前記受信した参照信号の到来方向を推定するステップと、前記第２の基地局が、自局のカバレッジエリアのサイズを示すサイズ情報を前記第１の基地局に通知するステップと、をさらに含み、前記指向性制御ステップにおいて、前記第１の基地局は、前記推定した到来方向及び前記第２の基地局から通知された前記サイズ情報に基づいて、前記送信指向性を制御する。
【００１４】
本発明に係る通信制御方法の他の特徴によれば、前記ステップＢは、前記第２の基地局が、自局のカバレッジエリア端周辺の無線環境を変動させるように、自局の送信指向性を制御する指向性制御ステップを含む。
【００１５】
本発明に係る通信制御方法の他の特徴によれば、前記ステップＢは、前記第１の基地局が、前記送信指向性の制御開始を前記第２の基地局に要求するステップと、前記第２の基地局が、前記送信指向性の制御を開始するにあたり、前記送信指向性の制御開始を前記第１の基地局に通知するステップと、前記第２の基地局が、前記送信指向性の制御を終了するにあたり、前記送信指向性の制御終了を前記第１の基地局に通知するステップと、をさらに含む。
【００１６】
本発明に係る通信制御方法の他の特徴によれば、前記ステップＢは、前記第１の基地局が、前記第２の基地局のカバレッジエリア端周辺の無線環境を変動させるように、自局の送信電力を制御する送信電力制御ステップを含む。
【００１７】
本発明に係る通信制御方法の他の特徴によれば、前記ステップＢは、前記第２の基地局が、自局のカバレッジエリア端周辺の無線環境を変動させるように、自局の送信電力を制御する送信電力制御ステップを含む。
【００１８】
本発明に係る通信制御方法の他の特徴によれば、前記ステップＢは、前記第１の基地局が、前記送信電力の制御開始を前記第２の基地局に要求するステップと、前記第２の基地局が、前記送信電力の制御を開始するにあたり、前記送信電力の制御開始を前記第１の基地局に通知するステップと、前記第２の基地局が、前記送信電力の制御を終了するにあたり、前記送信電力の制御終了を前記第１の基地局に通知するステップと、をさらに含む。
【００１９】
本発明に係る通信制御方法の他の特徴によれば、前記ステップＣにおいて、前記第１の基地局は、前記ステップＢの期間内で前記第１のユーザ端末から複数回報告される前記無線環境情報の変動量が閾値を超える場合に、当該第１のユーザ端末を前記与干渉ユーザ端末として特定する。
【００２０】
本発明に係る通信制御方法の他の特徴によれば、前記ステップＣにおいて、前記第１の基地局は、前記ステップＢよりも前に前記第１のユーザ端末から報告された前記無線環境情報に前記第２の基地局に対する測定結果の情報が含まれていない場合で、前記ステップＢの期間内で当該第１のユーザ端末から報告された前記無線環境情報に前記第２の基地局に対する測定結果の情報が含まれている場合に、当該第１のユーザ端末を前記与干渉ユーザ端末として特定する。
【００２１】
本発明に係る通信制御方法の他の特徴によれば、前記ステップＣは、前記第１のユーザ端末から報告される第１の無線環境情報に基づいて、前記第１のユーザ端末の中から前記与干渉ユーザ端末の候補とすべき対象ユーザ端末を選出するステップＣ１と、前記ステップＣ１で選出された前記対象ユーザ端末から報告される第２の無線環境情報に基づいて、前記対象ユーザ端末の中から前記与干渉ユーザ端末を特定するステップＣ２と、を含む。
【００２２】
本発明に係る移動通信システムは、第１の基地局と、前記第１の基地局よりもカバレッジエリアの狭い第２の基地局と、を有する移動通信システムであって、前記第２の基地局は、自局で検知した上りリンクの干渉を示す情報を前記第１の基地局へ送信し、前記第１の基地局及び／又は前記第２の基地局は、前記第２の基地局のカバレッジエリア端周辺の無線環境を変動させる処理を行い、前記第１の基地局は、自局に接続する第１のユーザ端末から報告される無線環境情報に基づいて、前記第１のユーザ端末の中から前記上りリンクの与干渉ユーザ端末を特定する、ことを特徴とする。
【００２３】
本発明に係る基地局は、移動通信システムにおける基地局であって、他の基地局のカバレッジエリア端周辺の無線環境を変動させるように、送信指向性又は送信電力を制御する制御部を有し、前記制御部は、自局に接続するユーザ端末から報告される無線環境情報に基づいて、前記ユーザ端末の中から前記他の基地局に対する上りリンクの与干渉ユーザ端末を特定することを特徴とする。
【図面の簡単な説明】
【００２４】
【図１】第１実施形態〜第４実施形態に係る移動通信システムを示す。
【図２】第１実施形態〜第４実施形態に係るｅＮＢのブロック図である。
【図３】第１実施形態〜第４実施形態に係るＵＥのブロック図である。
【図４】第１実施形態に係る移動通信システムの動作シーケンス図である。
【図５】第１実施形態の変更例に係る移動通信システムの動作シーケンス図である。
【図６】第２実施形態に係る移動通信システムの動作シーケンス図である。
【図７】第３実施形態に係る移動通信システムの動作シーケンス図である。
【図８】第４実施形態に係る移動通信システムの動作シーケンス図である。
【図９】第４実施形態の第１変更例に係る移動通信システムの動作シーケンス図である。
【図１０】第４実施形態の第２変更例に係る移動通信システムの動作シーケンス図である。
【図１１】第１実施形態に係る他の動作シーケンスを示す。
【図１２】第１実施形態の変更例に係る他の動作シーケンスを示す。
【発明を実施するための形態】
【００２５】
図面を参照して、本発明の実施形態を説明する。以下の各実施形態に係る図面において、同一又は類似の部分には同一又は類似の符号を付す。
【００２６】
［第１実施形態］
図１は、本実施形態に係る移動通信システムを示す。本実施形態に係る移動通信システムは、ＬＴＥ  Ａｄｖａｎｃｅｄ（３ＧＰＰリリース１０以降）に基づいて構成される。
【００２７】
図１に示すように、移動通信システムは、大型のカバレッジエリアを形成するマクロ基地局（Ｍａｃｒｏ  ｅｖｏｌｖｅｄ  Ｎｏｄｅ−Ｂ：ＭｅＮＢ）１００−１と、小型のカバレッジエリアを形成するピコ基地局（Ｐｉｃｏ  ｅｖｏｌｖｅｄ  Ｎｏｄｅ−Ｂ：ＰｅＮＢ）１００−２と、を有する。ＭｅＮＢ１００−１及びＰｅＮＢ１００−２のそれぞれには、１又は複数のユーザ端末（Ｕｓｅｒ  Ｅｑｕｉｐｍｅｎｔ：ＵＥ）が接続している。
【００２８】
以下において、ＭｅＮＢ１００−１に接続するＵＥをＭＵＥ２００−１と称し、ＰｅＮＢ１００−２に接続するＵＥをＰＵＥ２００−２と称する。また、ＭｅＮＢ１００−１及びＰｅＮＢ１００−２を特に区別しないときは単にｅＮＢ１００と称し、ＭＵＥ２００−１及びＰＵＥ２００−２を特に区別しないときは単にＵＥ２００と称する。
【００２９】
なお、接続とは、ＵＥ２００がｅＮＢ１００と同期した状態であって、当該ｅＮＢ１００から当該ＵＥ２００へ無線リソースを割り当て可能な状態を意味する。また、上りリンクとは、ＵＥ２００からｅＮＢ１００への通信方向を意味し、下りリンクとは、ｅＮＢ１００からＵＥ２００への通信方向を意味する。
【００３０】
ＭｅＮＢ１００−１及びＰｅＮＢ１００−２は、ＬＴＥの無線アクセスネットワークであるＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）に含まれる。本実施形態では、Ｅ−ＵＴＲＡＮは、ヘテロジーニアスネットワークとして構成される。ＰｅＮＢ１００−２は、ＭｅＮＢ１００−１のカバレッジエリア内であって、例えば高トラフィック地帯（いわゆる、ホットゾーン）に配置される。
【００３１】
本実施形態では、ＭｅＮＢ１００−１は、異なる２つのキャリア（ＣＣ１、ＣＣ２）をサポートしており、当該２つのキャリア中から選択したキャリアを無線通信に使用できる。各キャリアは、周波数方向において複数のリソースブロック（ＲＢ）を含む。また、本実施形態では、ＰｅＮＢ１００−２は、１つのキャリア（ＣＣ１）をサポートしており、当該１つのキャリアを無線通信に使用する。ＭｅＮＢ１００−１とＰｅＮＢ１００−２とが同一のキャリア（ＣＣ１）を使用し、且つＣＣ１を使用するＭＵＥ２００−１がＰｅＮＢ１００−２のカバレッジエリア端周辺に居ると、ＰｅＮＢ１００−２がＭＵＥ２００−１からの上りリンク干渉を受けることがある。本実施形態では、ＭｅＮＢ１００−１は、ＭＵＥ２００−１からのメジャメントレポートに基づいて干渉源のＭＵＥ２００−１を特定し、当該干渉源のＭＵＥ２００−１を他のキャリア（ＣＣ２）にハンドオーバするなどによって、当該上りリンク干渉の解決を図る。
【００３２】
カバレッジエリアは、１又は複数のセルにより構成される。セルは、セルＩＤによって識別され、キャリアと対応付けられる。なお、キャリアと当該キャリアを使用するｅＮＢ１００とを併せてセルと称することもある。このため、ＭｅＮＢ１００−１はマクロセルと称されることがあり、ＰｅＮＢ１００−２はピコセルと称されることがある。
【００３３】
ＵＥ２００は、通信中の状態に相当するコネクティッド（ＲＲＣ  Ｃｏｎｎｅｃｔｅｄ）状態において、接続先のセル（サービングセルと称される）を切り替えることができる。このようなサービングセルの切り替えは例えばハンドオーバによって実現される。ＵＥ２００のハンドオーバは、当該ＵＥ２００のサービングセルによって制御される。
【００３４】
ＭｅＮＢ１００−１とＰｅＮＢ１００−２との間には、隣接する基地局を相互接続するための論理通信路であるＸ２インターフェイスが設定される。また、ＬＴＥのコアネットワークであるＥＰＣ（Ｅｖｏｌｖｅｄ  Ｐａｃｋｅｔ  Ｃｏｒｅ）とＭｅＮＢ１００−１との間、及びＥＰＣとＰｅＮＢ１００−２との間には、ＥＰＣとの論理通信路であるＳ１インターフェイスが設定される。
【００３５】
次に、ｅＮＢ１００の構成を説明する。図２は、ｅＮＢ１００のブロック図である。
【００３６】
図２に示すように、ｅＮＢ１００は、複数のアンテナ素子１０１−１〜１０１−ｎと、無線通信部１１０と、ネットワーク通信部１２０と、記憶部１３０と、制御部１４０と、を含む。
【００３７】
アンテナ素子１０１−１〜１０１−ｎは、無線信号の送受信に用いられる。本実施形態では、アンテナ素子１０１−１〜１０１−ｎは、例えばアレイアンテナを構成する。
【００３８】
無線通信部１１０は、例えば無線周波数（ＲＦ）回路やベースバンド（ＢＢ）回路等を用いて構成され、アンテナ素子１０１−１〜１０１−ｎを介して無線信号を送受信する。また、無線通信部１１０は、参照信号を送信する。
【００３９】
また、無線通信部１１０は、制御部１４０の制御下で、アンテナ素子１０１−１〜１０１−ｎ毎にアンテナウェイトを乗算する処理（プリコーディングと称される）を行う。これにより、アンテナ素子１０１−１〜１０１−ｎにより構成されるアレイアンテナの指向性パターンを変更できる。
【００４０】
さらに、無線通信部１１０は、制御部１４０の制御下で、アンテナ素子１０１−１〜１０１−ｎを介して送信する無線信号の送信電力を変更できる。
【００４１】
ネットワーク通信部１２０は、Ｘ２インターフェイス上で、隣接ｅＮＢとの基地局間通信を行う。また、ネットワーク通信部１２０は、Ｓ１インターフェイス上で、ＥＰＣとの通信を行う。
【００４２】
記憶部１３０は、ｅＮＢ１００の制御等に用いられる各種の情報を記憶する。例えば、記憶部１３０は、ハンドオーバ制御のための隣接ｅＮＢリスト（ネイバーリストと称される）を記憶している。
【００４３】
制御部１４０は、ｅＮＢ１００が備える各種の機能を制御する。
【００４４】
制御部１４０は、ＵＥ２００へのリソース割り当てを行う。制御部１４０は、ＵＥ２００から報告されるＣＱＩ（Ｃｈａｎｎｅｌ  Ｑｕａｌｉｔｙ  Ｉｎｄｉｃａｔｏｒ）などに基づいて、１又は複数のリソースブロックを当該ＵＥ２００に割り当てる。ＣＱＩは、例えば、複数のリソースブロック分の帯域幅（サブバンドと称される）毎の受信品質を示す。そして、制御部１４０は、割り当てリソースブロックを用いて当該ＵＥ２００との無線通信を行うよう制御する。制御部１４０は、無線通信部１１０における送信電力の制御も行う。
【００４５】
また、制御部１４０は、ＵＥ２００のハンドオーバ制御を行う。制御部１４０は、ＵＥ２００から報告されるメジャメントレポートなどに基づいて、当該ＵＥ２００のハンドオーバ、及びハンドオーバターゲットを決定する。メジャメントレポートは、ＵＥ２００がサービングセル及び隣接セルについて測定した参照信号受信電力（ＲＳＲＰ）及び参照信号受信品質（ＲＳＲＱ）の情報を含む。そして、制御部１４０は、ハンドオーバターゲットとして決定した他のｅＮＢ１００と通信した後、ハンドオーバ指示を当該ＵＥ２００に送信するよう制御する。
【００４６】
さらに、制御部１４０は、アレイアンテナの指向性パターンを動的に変更するためのアダプティブアレイ制御を行うことができる。アダプティブアレイ制御は、ＵＥ２００に対してアレイアンテナの指向性パターンのピークを向けるビームフォーミングと、ＵＥ２００に対してアレイアンテナの指向性パターンのヌルを向けるヌルステアリングと、を含む。制御部１４０は、ＵＥ２００との間の伝搬路特性に基づく伝搬路特性情報に基づいて、当該ＵＥ２００に対してビームフォーミングやヌルステアリングを行うためのアンテナウェイトを算出し、当該アンテナウェイトを無線通信部１１０に設定する。ここで、伝搬路特性情報としては、例えば、ＵＥ２００からフィードバックされるＰＭＩ（Ｐｒｅｃｏｄｉｎｇ  Ｍａｔｒｉｘ  Ｉｎｄｉｃａｔｏｒ）を使用できる。
【００４７】
次に、ＵＥ２００の構成を説明する。図３は、ＵＥ２００のブロック図である。
【００４８】
図３に示すように、ＵＥ２００は、アンテナ２０１と、無線通信部２１０と、記憶部２２０と、制御部２３０と、を含む。
【００４９】
アンテナ２０１は、無線信号の送受信に用いられる。アンテナ２０１は、複数のアンテナ素子を含んでもよい。
【００５０】
無線通信部２１０は、例えばＲＦ回路やＢＢ回路等を用いて構成され、アンテナ２０１を介して無線信号を送受信する。
【００５１】
記憶部２２０は、ＵＥ２００の制御等に用いられる各種の情報を記憶する。
【００５２】
制御部２３０は、ＵＥ２００が備える各種の機能を制御する。
【００５３】
制御部２３０は、ｅＮＢ１００から割り当てられた１又は複数のリソースブロックを用いて当該ｅＮＢ１００との無線通信を行うよう制御する。
【００５４】
また、制御部２３０は、ＣＱＩやメジャメントレポートなどの無線環境情報を生成し、当該無線環境情報をｅＮＢ１００に送信（報告）するよう制御する。制御部２３０は、ＰＭＩなどの伝搬路特性情報を生成し、当該伝搬路特性情報をｅＮＢ１００に送信（報告）するよう制御する。
【００５５】
さらに、制御部２３０は、ｅＮＢ１００からのハンドオーバ指示に応じて、指定されたハンドオーバターゲットへのハンドオーバを行うよう制御する。
【００５６】
次に、本実施形態に係る移動通信システムの動作を説明する。図４は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。
【００５７】
図４に示すように、ステップＳ１０１において、ＭＵＥ２００−１は、ＭｅＮＢ１００−１との無線通信を行う。ステップＳ１０２において、ＰｅＮＢ１００−２は、ＭＵＥ２００−１からの上りリンク信号により干渉を受ける。
【００５８】
ＰｅＮＢ１００−２は、上りリンクの各リソースブロックについて干渉レベルを測定している。ステップＳ１０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知した上りリンクの干渉がＭｅＮＢ１００−１に通知される。
【００５９】
ステップＳ１０４において、ＭｅＮＢ１００−１は、ＰｅＮＢ１００−２からのＯｖｅｒｌｏａｄ  Ｉｎｄｉｃａｔｏｒに応じて、ＰＵＥ２００−２とＭｅＮＢ１００−１との間の伝搬路特性情報の送信要求（ｓｐｅｃｉｆｉｃ  ＵＥ  ｎｅｉｇｈｂｏｒ  ｃｅｌｌ  ｍｅａｓｕｒｅｍｅｎｔ  ｒｅｓｕｌｔ  ｒｅｑｕｅｓｔ）をＸ２インターフェイス上でＰｅＮＢ１００−２に送信する。
【００６０】
ステップＳ１０５において、ＰｅＮＢ１００−２は、複数のＰＵＥ２００−２の中から、ＰｅＮＢ１００−２から遠い場所に位置しているＰＵＥ２００−２（例えば上位数個）を選択する。遠い場所に位置しているＰＵＥ２００−２の特定は、ＰＵＥ２００−２から報告される無線環境情報や、ＰｅＮＢ１００−２とＰＵＥ２００−２との間のパスロス測定などにより行われる。あるいは、ＰＵＥ２００−２から位置情報が報告される場合には、当該位置情報と、ＰｅＮＢ１００−２の位置及びカバレッジエリア半径の情報と、に基づいて、遠い場所に位置しているＰＵＥ２００−２を特定してもよい。
【００６１】
ステップＳ１０６において、ＰｅＮＢ１００−２は、ステップＳ１０５で選択したＰＵＥ２００−２に対して、ＭｅＮＢ１００−１との間の伝搬路特性の測定指示を送信する。測定指示は、ＭｅＮＢ１００−１との間の伝搬路特性を測定するための情報（ｎｅｉｇｈｂｏｒ  ｃｅｌｌ  ｍｅａｓｕｒｅｍｅｎｔ  ｒｅｓｕｌｔ  ｔｒａｎｓｍｉｓｓｉｏｎ  ｒｅｑｕｅｓｔ）を含む。測定指示を受信したＰＵＥ２００−２は、当該測定指示に基づいてＭｅＮＢ１００−１との間の伝搬路特性を測定する。
【００６２】
ステップＳ１０７において、測定指示を受信したＰＵＥ２００−２は、ＭｅＮＢ１００−１との間の伝搬路特性の測定結果に基づく伝搬路特性情報をＰｅＮＢ１００−２に送信する。
【００６３】
ステップＳ１０８において、ＰｅＮＢ１００−２は、複数のＰＵＥ２００−２からの伝搬路特性情報をＸ２インターフェイス上でＭｅＮＢ１００−１に転送する。ＭｅＮＢ１００−１は、ＰＵＥ２００−２から受信した伝搬路特性情報を記憶する。
【００６４】
ステップＳ１０９において、ＭｅＮＢ１００−１は、ＰｅＮＢ１００−２のカバレッジエリア端周辺に位置するＭＵＥ２００−１の候補を推定する。例えば、ＭｅＮＢ１００−１が複数セクターから構成されていた場合は、ＰｅＮＢ１００−２が存在するセクターに接続しているＭＵＥ２００−１にのみメジャメントレポートの送信を要求する、などが考えられる。
【００６５】
ステップＳ１１０において、ＭｅＮＢ１００−１は、ステップＳ１０９で推定したＭＵＥ２００−１に対して、複数回のメジャメントレポート送信を指示するための測定設定情報を送信する。
【００６６】
ステップＳ１１１において、ＭｅＮＢ１００−１は、ステップＳ１０８で受信した伝搬路特性情報に基づいて、ＰｅＮＢ１００−２のカバレッジエリア端周辺の無線環境を変動させるように、自局の送信指向性の制御を開始する。詳細には、ＭｅＮＢ１００−１は、ＰｅＮＢ１００−２から遠い場所のＰＵＥ２００−２（すなわち、ＰｅＮＢ１００−２のカバレッジエリア端周辺のＰＵＥ２００−２）毎に、順次ヌルを向けるようにヌルステアリングを行う。あるいは、ＰｅＮＢ１００−２のカバレッジエリア端周辺の複数のＰＵＥ２００−２に同時にヌルを向けるヌルステアリングを間欠的に行ってもよい。また、ヌルステアリングに代えてビームフォーミングを行ってもよい。
【００６７】
ステップＳ１１２において、ＭｅＮＢ１００−１は、ＭＵＥ２００−１からのメジャメントレポートに基づくＲＳＲＱの最大値（ＲＳＲＱｍａｘ）及び最小値（ＲＳＲＱｍｉｎ）の記録を開始する。
【００６８】
ステップＳ１１３〜ステップＳ１１６において、ＭｅＮＢ１００−１は、ＭＵＥ２００−１からのメジャメントレポートを複数回受信する。ＭｅＮＢ１００−１は、各メジャメントレポートに含まれるＲＳＲＱを取得し、これらのＲＳＲＱを比較することでＲＳＲＱｍａｘ及びＲＳＲＱｍｉｎを選出し、ＲＳＲＱｍａｘ及びＲＳＲＱｍｉｎを記録する。
【００６９】
ＲＳＲＱは、サービングセルの受信電力と隣接セルの受信電力との比（例えば、ＳＮＲやＳＩＮＲ）に相当する。ステップＳ１１１で開始されたヌルステアリングにより、ＰｅＮＢ１００−２のカバレッジエリア端周辺のＭＵＥ２００−１は、サービングセルの受信電力が一時的に落ち込むため、ＲＳＲＱｍａｘ及びＲＳＲＱｍｉｎに大きな差が生じる。
【００７０】
あるいは、ステップＳ１１１でビームフォーミングが開始された場合には、ＰｅＮＢ１００−２のカバレッジエリア端周辺のＭＵＥ２００−１は、サービングセルの受信電力が一時的に高くなるため、ＲＳＲＱｍａｘ及びＲＳＲＱｍｉｎに大きな差が生じる。
【００７１】
ステップＳ１１７において、ＭｅＮＢ１００−１は、与干渉ＵＥを探索するための指向性制御を終了する。
【００７２】
ステップＳ１１８において、ＭｅＮＢ１００−１は、ステップＳ１１３〜ステップＳ１１６で記録したＲＳＲＱｍａｘ及びＲＳＲＱｍｉｎの差（ＲＳＲＱｍａｘ−ＲＳＲＱｍｉｎ）が閾値を超えるか否かを確認する。ＲＳＲＱｍａｘ及びＲＳＲＱｍｉｎの差が閾値を超えない場合（ステップＳ１１８；ＮＯ）、処理を終了する。
【００７３】
これに対し、ＲＳＲＱｍａｘ及びＲＳＲＱｍｉｎの差が閾値を超える場合（ステップＳ１１８；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ１１９において、ＭｅＮＢ１００−１は、当該ＭＵＥ２００−１を他のセル（他のキャリアＣ２）へハンドオーバする。
【００７４】
例えば、ＭｅＮＢ１００−１がキャリアアグリゲーションによりプライマリセル及びセカンダリセルを併用している場合で、当該ＭＵＥ２００−１がキャリアアグリゲーションをサポートし且つプライマリセルに収容されている場合には、プライマリセルからセカンダリセルへハンドオーバする。あるいは、可能であれば、当該ＭＵＥ２００−１をＰｅＮＢ１００−２へハンドオーバしてもよい。
【００７５】
以上説明したように、本実施形態によれば、ＭｅＮＢ１００−１は、上りリンクの干渉をＰｅＮＢ１００−２から通知された後、ＰｅＮＢ１００−２のカバレッジエリア端周辺の無線環境を変動させるようにヌルステアリング（又はビームフォーミング）を行う。そして、ＭｅＮＢ１００−１は、ＭＵＥ２００−１からのメジャメントレポートに基づいて、受信品質が落ち込んだ（又は改善した）ＭＵＥ２００−１を与干渉ＭＵＥ２００−１として特定する。このようにして与干渉ＭＵＥ２００−１を特定することで、ヘテロジーニアスネットワークにおける上りリンク干渉の解決を図ることができる。
【００７６】
［第１実施形態の変更例］
以下において、第１実施形態の変更例を説明する。本変更例は、ＭｅＮＢ１００−１がヌルステアリング（又はビームフォーミング）を行う点は第１実施形態と同じであるが、ヌルステアリング（又はビームフォーミング）に関する処理が第１実施形態とは異なる。また、本変更例は、ＴＤＤ（Ｔｉｍｅ  Ｄｉｖｉｓｉｏｎ  Ｄｕｐｌｅｘ）方式を想定している。
【００７７】
図５は、本変更例に係る移動通信システムの動作シーケンス図である。本動作シーケンスの初期状態において、ＭｅＮＢ１００−１及びＰｅＮＢ１００−２は、共通のキャリアＣ１を上りリンクに使用している。
【００７８】
図５に示すように、ステップＳ１３１〜ステップＳ１３３は、第１実施形態と同様である。
【００７９】
ステップＳ１３４において、ＭｅＮＢ１００−１は、ＰｅＮＢ１００−２から送信される参照信号（詳細には、セル固有参照信号（ＣＲＳ））を無線上で受信する。
【００８０】
ステップＳ１３５において、ＭｅＮＢ１００−１は、ステップＳ１３４で受信したＣＲＳに基づいて、当該ＣＲＳの到来方向を推定し、推定した方向を記憶する。
【００８１】
ステップＳ１３６において、ＰｅＮＢ１００−２は、自局のカバレッジエリアのサイズを示すサイズ情報をＸ２インターフェイス上でＭｅＮＢ１００−１に送信する。サイズ情報は、マクロ、ピコ、フェムトといったサイズ区分の情報であってもよく、半径の値の情報であってもよい。
【００８２】
ステップＳ１３７において、ＭｅＮＢ１００−１は、ステップＳ１３５で推定した方向と、ステップＳ１３６で通知されたサイズ情報と、に基づいて、ＰｅＮＢ１００−２のカバレッジエリア端の位置（詳細には、当該位置に対応する方向）を推定する。
【００８３】
ステップＳ１３８において、ＭｅＮＢ１００−１は、ＭＵＥ２００−１に対して、複数回のメジャメントレポート送信を指示するための測定設定情報を送信する。
【００８４】
ステップＳ１３９において、ＭｅＮＢ１００−１は、ステップＳ１３７で推定したＰｅＮＢ１００−２のカバレッジエリア端の位置に基づいて、ＰｅＮＢ１００−２のカバレッジエリア端周辺の無線環境を変動させるように、自局の送信指向性の制御を開始する。例えば、ＭｅＮＢ１００−１は、ステップＳ１３５で推定した方向に対して、サイズ情報で示されるサイズの範囲でヌルを変化させる。
【００８５】
ステップＳ１４０〜ステップＳ１４７は、第１実施形態と同様である。
【００８６】
本変形例によれば、第１実施形態と同様の効果を得ることができる。また、第１実施形態に比べてシグナリングを削減できる。
【００８７】
［第２実施形態］
以下において、第２実施形態について、上述した実施形態との相違点を主として説明する。本実施形態は、ＭｅＮＢ１００−１ではなくＰｅＮＢ１００−２がヌルステアリング（又はビームフォーミング）を行う。
【００８８】
図６は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。
【００８９】
図６に示すように、ステップＳ２０１において、ＭＵＥ２００−１は、ＭｅＮＢ１００−１との無線通信を行う。ステップＳ２０２において、ＰｅＮＢ１００−２は、ＭＵＥ２００−１からの上りリンク信号により干渉を受ける。
【００９０】
ＰｅＮＢ１００−２は、上りリンクの各リソースブロックについて干渉レベルを測定している。ステップＳ２０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知した上りリンクの干渉がＭｅＮＢ１００−１に通知される。
【００９１】
ステップＳ２０４において、ＭｅＮＢ１００−１は、ＰｅＮＢ１００−２からのＯｖｅｒｌｏａｄ  Ｉｎｄｉｃａｔｏｒに応じて、与干渉ＵＥを探索するための指向性制御の開始要求をＸ２インターフェイス上でＰｅＮＢ１００−２に送信する。
【００９２】
ステップＳ２０５において、ＰｅＮＢ１００−２は、ＭｅＮＢ１００−１からの指向性制御の開始要求に応じて、指向性制御の開始通知をＸ２インターフェイス上でＭｅＮＢ１００−１に送信する。
【００９３】
ステップＳ２０６において、ＰｅＮＢ１００−２は、予め記憶しているアンテナウェイト情報に基づいて、ＰｅＮＢ１００−２のカバレッジエリア端周辺の無線環境を変動させるように、自局の送信指向性の制御を開始する。例えば、ＰｅＮＢ１００−２は、ステップＳ２０２で（高い）上りリンク干渉が検知されたリソースブロックにおいて、自局を中心にヌルを３６０°回転させるようにヌルステアリングを行う。あるいは、ヌルステアリングに代えてビームフォーミングを行ってもよい。
【００９４】
ステップＳ２０７において、ＭｅＮＢ１００−１は、ＭＵＥ２００−１に対して、複数回のメジャメントレポート送信を指示するための測定設定情報を送信する。
【００９５】
ステップＳ２０８において、ＭｅＮＢ１００−１は、ＭＵＥ２００−１からのメジャメントレポートに基づくＲＳＲＱの最大値（ＲＳＲＱｍａｘ）及び最小値（ＲＳＲＱｍｉｎ）の記録を開始する。
【００９６】
ステップＳ２０９〜ステップＳ２１２において、ＭｅＮＢ１００−１は、ＭＵＥ２００−１からのメジャメントレポートを複数回受信する。ＭｅＮＢ１００−１は、各メジャメントレポートに含まれるＲＳＲＱを取得し、これらのＲＳＲＱを比較することでＲＳＲＱｍａｘ及びＲＳＲＱｍｉｎを選出し、ＲＳＲＱｍａｘ及びＲＳＲＱｍｉｎを記録する。
【００９７】
ステップＳ２１３において、ＰｅＮＢ１００−２は、与干渉ＵＥを探索するための指向性制御を終了する。なお、与干渉ＵＥを探索するための指向性制御を行う期間は、予めＭｅＮＢ１００−１及びＰｅＮＢ１００−２に設定されていてもよく、ＭｅＮＢ１００−１が決定して指向性制御開始要求（ステップＳ２０４）でＰｅＮＢ１００−２に通知してもよく、ＰｅＮＢ１００−２が決定して指向性制御開始通知（ステップＳ２０５）でＭｅＮＢ１００−１に通知してもよい。
【００９８】
ステップＳ２１４において、ＰｅＮＢ１００−２は、指向性制御の終了通知をＸ２インターフェイス上でＭｅＮＢ１００−１に送信する。
【００９９】
ステップＳ２１５において、ＭｅＮＢ１００−１は、ステップＳ２０９〜ステップＳ２１２で記録したＲＳＲＱｍａｘ及びＲＳＲＱｍｉｎの差（ＲＳＲＱｍａｘ−ＲＳＲＱｍｉｎ）が閾値を超えるか否かを確認する。ＲＳＲＱｍａｘ及びＲＳＲＱｍｉｎの差が閾値を超えない場合（ステップＳ２１５；ＮＯ）、処理を終了する。
【０１００】
これに対し、ＲＳＲＱｍａｘ及びＲＳＲＱｍｉｎの差が閾値を超える場合（ステップＳ２１５；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ２１６において、ＭｅＮＢ１００−１は、当該ＭＵＥ２００−１を他のセル（他のキャリアＣ２）へハンドオーバする。
【０１０１】
以上説明したように、本実施形態によれば、ＰｅＮＢ１００−２は、上りリンクの干渉をＭｅＮＢ１００−１に通知した後、自局のカバレッジエリア端周辺の無線環境を変動させるようにヌルステアリング（又はビームフォーミング）を行う。そして、ＭｅＮＢ１００−１は、ＭＵＥ２００−１からのメジャメントレポートに基づいて、受信品質が落ち込んだ（又は改善した）ＭＵＥ２００−１を与干渉ＭＵＥ２００−１として特定する。このようにして与干渉ＭＵＥ２００−１を特定することで、ヘテロジーニアスネットワークにおける上りリンク干渉の解決を図ることができる。
【０１０２】
［第３実施形態］
以下において、第３実施形態について、上述した実施形態との相違点を主として説明する。本実施形態では、ＭｅＮＢ１００−１は、与干渉ＵＥを探索するための送信指向性制御に代えて、与干渉ＵＥを探索するための送信電力制御を行う。
【０１０３】
図１に示す状況下で、ＭｅＮＢ１００−１及びＰｅＮＢ１００−２が共通のキャリアＣ１を使用する場合、ＰｅＮＢ１００−２からの下りリンク信号はＭｅＮＢ１００−１からの下りリンク信号にかき消されてしまうため、ＭＵＥ２００−１はＰｅＮＢ１００−２からの下りリンク信号を検知できない。
【０１０４】
しかしながら、ＭｅＮＢ１００−１からの下りリンク信号の電力を下げれば、ＭＵＥ２００−１はＰｅＮＢ１００−２からの下りリンク信号を検知できるようになり、メジャメントレポートで報告できるようになる。よって、本実施形態では、ＭｅＮＢ１００−１が、ＰｅＮＢ１００−２のカバレッジエリア端周辺の無線環境を変動させるように、自局の送信電力を低下させる。そして、そのような送信電力の低下により、ＰｅＮＢ１００−２からの下りリンク信号を検知できるようになったＭＵＥ２００−１を、与干渉ＭＵＥ２００−１として特定する。
【０１０５】
図７は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。また、本動作シーケンスの開始前において、ＭＵＥ２００−１からのメジャメントレポートには、ＰｅＮＢ１００−２についての測定結果は含まれていない（すなわち、ＰｅＮＢ１００−２からの下りリンク信号を検知していない）とする。
【０１０６】
図７に示すように、ステップＳ３０１において、ＭＵＥ２００−１は、ＭｅＮＢ１００−１との無線通信を行う。ステップＳ３０２において、ＰｅＮＢ１００−２は、ＭＵＥ２００−１からの上りリンク信号により干渉を受ける。
【０１０７】
ＰｅＮＢ１００−２は、上りリンクの各リソースブロックについて干渉レベルを測定している。ステップＳ３０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知した上りリンクの干渉がＭｅＮＢ１００−１に通知される。
【０１０８】
ステップＳ３０４において、ＭｅＮＢ１００−１は、ＭＵＥ２００−１に対して、複数回のメジャメントレポート送信を指示するための測定設定情報を送信する。
【０１０９】
ステップＳ３０５において、ＭｅＮＢ１００−１は、与干渉ＵＥを探索するための送信電力制御を開始する。例えば、ＭｅＮＢ１００−１は、下りリンク信号（参照信号など）の送信電力を低下させる。
【０１１０】
ステップＳ３０６において、ＭｅＮＢ１００−１は、ＭＵＥ２００−１からのメジャメントレポートを受信し、メジャメントレポートに含まれる情報を記憶する。
【０１１１】
ステップＳ３０７において、ＭｅＮＢ１００−１は、与干渉ＵＥを探索するための送信電力制御を終了する。例えば、ＭｅＮＢ１００−１は、下りリンク信号（参照信号など）の送信電力を元に戻す。
【０１１２】
ステップＳ３０８において、ＭｅＮＢ１００−１は、ステップＳ３０６で受信したメジャメントレポートに、ＰｅＮＢ１００−２についての測定結果（例えば、ＰｅＮＢ１００−２のセルＩＤに対応する測定結果）が含まれているか否かを確認する。ＰｅＮＢ１００−２についての測定結果がメジャメントレポートに含まれていない場合（ステップＳ３０８；ＮＯ）、処理を終了する。
【０１１３】
これに対し、ＰｅＮＢ１００−２についての測定結果がメジャメントレポートに含まれている場合（ステップＳ３０８；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ３０９において、ＭｅＮＢ１００−１は、当該ＭＵＥ２００−１を他のセル（他のキャリアＣ２）へハンドオーバする。
【０１１４】
以上説明したように、本実施形態によれば、ＭｅＮＢ１００−１は、上りリンクの干渉がＰｅＮＢ１００−２から通知された後、ＰｅＮＢ１００−２のカバレッジエリア端周辺の無線環境を変動させるように送信電力を低下させる。そして、ＭｅＮＢ１００−１は、ＭＵＥ２００−１からのメジャメントレポートに基づいて、ＰｅＮＢ１００−２を検知できるようになったＭＵＥ２００−１を与干渉ＭＵＥ２００−１として特定する。このようにして与干渉ＭＵＥ２００−１を特定することで、ヘテロジーニアスネットワークにおける上りリンク干渉の解決を図ることができる。
【０１１５】
［第４実施形態］
以下において、第４実施形態について、上述した実施形態との相違点を主として説明する。本実施形態では、ＰｅＮＢ１００−２が、与干渉ＵＥを探索するための送信電力制御を行う。
【０１１６】
図８は、本実施形態に係る移動通信システムの動作シーケンス図である。本動作シーケンスの初期状態において、ＭｅＮＢ１００−１及びＰｅＮＢ１００−２は、共通のキャリアＣ１を上りリンクに使用している。
【０１１７】
図８に示すように、ステップＳ４０１において、ＭＵＥ２００−１は、ＭｅＮＢ１００−１との無線通信を行う。ステップＳ４０２において、ＰｅＮＢ１００−２は、ＭＵＥ２００−１からの上りリンク信号により干渉を受ける。
【０１１８】
ＰｅＮＢ１００−２は、上りリンクの各リソースブロックについて干渉レベルを測定している。ステップＳ４０３において、ＰｅＮＢ１００−２は、上りリンクのリソースブロック毎の干渉レベルを示すＯｖｅｒｌｏａｄ  ＩｎｄｉｃａｔｏｒをＸ２インターフェイス上でＭｅＮＢ１００−１に送信する。これにより、ＰｅＮＢ１００−２で検知した上りリンクの干渉がＭｅＮＢ１００−１に通知される。
【０１１９】
ステップＳ４０４において、ＭｅＮＢ１００−１は、ＭＵＥ２００−１に対して、複数回のメジャメントレポート送信を指示するための測定設定情報を送信する。
【０１２０】
ステップＳ４０５において、ＭｅＮＢ１００−１は、ＭＵＥ２００−１からのメジャメントレポートに基づくＲＳＲＱの最大値（ＲＳＲＱｍａｘ）及び最小値（ＲＳＲＱｍｉｎ）の記録を開始する。
【０１２１】
ステップＳ４０６において、ＭｅＮＢ１００−１は、ＭＵＥ２００−１からのメジャメントレポートを受信する。ＭｅＮＢ１００−１は、メジャメントレポートに含まれるＲＳＲＱを取得し、（最大値（ＲＳＲＱｍａｘ）として）記録する。
【０１２２】
ステップＳ４０７において、ＭｅＮＢ１００−１は、与干渉ＵＥを探索するための送信電力制御の開始要求をＸ２インターフェイス上でＰｅＮＢ１００−２に送信する。
【０１２３】
ステップＳ４０８において、ＰｅＮＢ１００−２は、ＭｅＮＢ１００−１からの送信電力制御の開始要求に応じて、送信電力制御を開始する。詳細には、ＰｅＮＢ１００−２は、参照信号等の送信電力を上昇（ブースト）もしくは減少（リダクション）させる。
【０１２４】
ＰｅＮＢ１００−２が参照信号の送信電力を上昇（ブースト）もしくは減少（リダクション）させた結果、ＰｅＮＢ１００−２のカバレッジエリア端周辺に居るＭＵＥ２００−１は、ＲＳＲＱが劣化する。
【０１２５】
ステップＳ４０９において、ＰｅＮＢ１００−２は、送信電力制御の開始通知をＸ２インターフェイス上でＭｅＮＢ１００−１に送信する。
【０１２６】
ステップＳ４１０において、ＭｅＮＢ１００−１は、ＭＵＥ２００−１からのメジャメントレポートを受信する。ＭｅＮＢ１００−１は、メジャメントレポートに含まれるＲＳＲＱを取得し、（最小値（ＲＳＲＱｍｉｎ）として）記録する。
【０１２７】
ステップＳ４１１において、ＰｅＮＢ１００−２は、与干渉ＵＥを探索するための送信電力制御の終了通知をＸ２インターフェイス上でＭｅＮＢ１００−１に送信する。なお、与干渉ＵＥを探索するための送信電力制御を行う期間は、予めＭｅＮＢ１００−１及びＰｅＮＢ１００−２に設定されていてもよく、この場合には当該通知は不要である。
【０１２８】
ステップＳ４１２において、ＰｅＮＢ１００−２は、与干渉ＵＥを探索するための送信電力制御を終了する。詳細には、ＰｅＮＢ１００−２は、上昇させていた参照信号の送信電力を元に戻す。
【０１２９】
ステップＳ４１３において、ＭｅＮＢ１００−１は、ステップＳ４０６及びステップＳ４１０で記録したＲＳＲＱｍａｘ及びＲＳＲＱｍｉｎの差（ＲＳＲＱｍａｘ−ＲＳＲＱｍｉｎ）が閾値を超えるか否かを確認する。ＲＳＲＱｍａｘ及びＲＳＲＱｍｉｎの差が閾値を超えない場合（ステップＳ４１３；ＮＯ）、処理を終了する。
【０１３０】
これに対し、ＲＳＲＱｍａｘ及びＲＳＲＱｍｉｎの差が閾値を超える場合（ステップＳ４１３；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ４１４において、ＭｅＮＢ１００−１は、当該ＭＵＥ２００−１を他のセル（他のキャリアＣ２）へハンドオーバする。
【０１３１】
以上説明したように、本実施形態によれば、ＰｅＮＢ１００−２は、上りリンクの干渉をＭｅＮＢ１００−１に通知した後、自局のカバレッジエリア端周辺の無線環境を変動させるように送信電力制御を行う。そして、ＭｅＮＢ１００−１は、ＭＵＥ２００−１からのメジャメントレポートに基づいて、受信品質が落ち込んだＭＵＥ２００−１を与干渉ＭＵＥ２００−１として特定する。このようにして与干渉ＭＵＥ２００−１を特定することで、ヘテロジーニアスネットワークにおける上りリンク干渉の解決を図ることができる。
【０１３２】
［第４実施形態の第１変更例］
以下において、第４実施形態の第１変更例を説明する。本変更例は、ＰｅＮＢ１００−２が送信電力制御を行う点は第４実施形態と同じであるが、与干渉ＭＵＥ２００−１の特定に関する処理が第４実施形態とは異なる。
【０１３３】
図９は、本変更例に係る移動通信システムの動作シーケンス図である。本動作シーケンスの初期状態において、ＭｅＮＢ１００−１及びＰｅＮＢ１００−２は、共通のキャリアＣ１を上りリンクに使用している。
【０１３４】
図９に示すように、ステップＳ４３１〜ステップＳ４３３は、第４実施形態と同様である。
【０１３５】
ステップＳ４３４において、ＰｅＮＢ１００−２は、ステップＳ４３２で（高い）上りリンク干渉が検知されたリソースブロックについて送信電力制御を行う旨の制御対象リソース通知を、Ｘ２インターフェイス上でＭｅＮＢ１００−１に送信する。
【０１３６】
ステップＳ４３５において、ＭｅＮＢ１００−１は、ＭＵＥ２００−１からのＣＱＩレポートに基づく平均ＣＱＩの最大値（平均ＣＱＩｍａｘ）及び最小値（平均ＣＱＩｍｉｎ）の記録を開始する。
【０１３７】
ステップＳ４３６〜ステップＳ４３８において、ＭｅＮＢ１００−１は、ＭＵＥ２００−１からのＣＱＩレポートを複数回受信する。  ステップＳ４３９において、ＭｅＮＢ１００−１は、ステップＳ４３６〜ステップＳ４３８で受信したＣＱＩの平均ＣＱＩを算出して記録する。
【０１３８】
ステップＳ４４０において、ＭｅＮＢ１００−１は、与干渉ＵＥを探索するための送信電力制御の開始要求をＸ２インターフェイス上でＰｅＮＢ１００−２に送信する。
【０１３９】
ステップＳ４４１において、ＰｅＮＢ１００−２は、ＭｅＮＢ１００−１からの送信電力制御の開始要求に応じて、送信電力制御を開始する。詳細には、ＰｅＮＢ１００−２は、ステップＳ４３２で（高い）上りリンク干渉が検知されたリソースブロックについて送信電力を上昇又は低下させる。
【０１４０】
ＰｅＮＢ１００−２が送信電力を上昇させる場合、ＰｅＮＢ１００−２のカバレッジエリア端周辺に居るＭＵＥ２００−１は、平均ＣＱＩが劣化する。これに対し、ＰｅＮＢ１００−２が送信電力を低下させる場合、ＰｅＮＢ１００−２のカバレッジエリア端周辺に居るＭＵＥ２００−１は、平均ＣＱＩが改善する。
【０１４１】
ステップＳ４４２において、ＰｅＮＢ１００−２は、送信電力制御の開始通知をＸ２インターフェイス上でＭｅＮＢ１００−１に送信する。
【０１４２】
ステップＳ４４３〜ステップＳ４４５において、ＭｅＮＢ１００−１は、ＭＵＥ２００−１からのＣＱＩレポートを複数回受信する。
【０１４３】
ステップＳ４４６において、ＭｅＮＢ１００−１は、ステップＳ４４３〜ステップＳ４４５で受信したＣＱＩの平均ＣＱＩを算出して記録する。
【０１４４】
ステップＳ４４７において、ＰｅＮＢ１００−２は、与干渉ＵＥを探索するための送信電力制御の終了通知をＸ２インターフェイス上でＭｅＮＢ１００−１に送信する。なお、与干渉ＵＥを探索するための送信電力制御を行う期間は、予めＭｅＮＢ１００−１及びＰｅＮＢ１００−２に設定されていてもよく、この場合には当該通知は不要である。
【０１４５】
ステップＳ４４８において、ＰｅＮＢ１００−２は、与干渉ＵＥを探索するための送信電力制御を終了する。詳細には、ＰｅＮＢ１００−２は、上昇又は低下させていた送信電力を元に戻す。
【０１４６】
ステップＳ４４９において、ＭｅＮＢ１００−１は、ステップＳ４３９及びステップＳ４４６で記録した平均ＣＱＩｍａｘ及び平均ＣＱＩｍｉｎの差（平均ＣＱＩｍａｘ−平均ＣＱＩｍｉｎ）が閾値を超えるか否かを確認する。平均ＣＱＩｍａｘ及び平均ＣＱＩｍｉｎの差が閾値を超えない場合（ステップＳ４４９；ＮＯ）、処理を終了する。
【０１４７】
これに対し、平均ＣＱＩｍａｘ及び平均ＣＱＩｍｉｎの差が閾値を超える場合（ステップＳ４４９；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ４５０において、ＭｅＮＢ１００−１は、当該ＭＵＥ２００−１を他のセル（他のキャリアＣ２）へハンドオーバする。
【０１４８】
［第４実施形態の第２変更例］
以下において、第４実施形態の第２変更例を説明する。本変更例は、ＰｅＮＢ１００−２が送信電力制御を行う点は第４実施形態と同じであるが、第３実施形態で説明した方法と同様の与干渉ＵＥ特定方法を適用する。
【０１４９】
図１０は、本変更例に係る移動通信システムの動作シーケンス図である。本動作シーケンスの初期状態において、ＭｅＮＢ１００−１及びＰｅＮＢ１００−２は、共通のキャリアＣ１を上りリンクに使用している。また、本動作シーケンスの開始前において、ＭＵＥ２００−１からのメジャメントレポートには、ＰｅＮＢ１００−２についての測定結果は含まれていない（すなわち、ＰｅＮＢ１００−２からの下りリンク信号を検知していない）とする。
【０１５０】
図１０に示すように、ステップＳ４７１〜ステップＳ４７３は、第４実施形態と同様である。
【０１５１】
ステップＳ４７４において、ＭｅＮＢ１００−１は、ＭＵＥ２００−１に対して、１回のメジャメントレポート送信を指示するための測定設定情報を送信する。
【０１５２】
ステップＳ４７５において、ＭｅＮＢ１００−１は、与干渉ＵＥを探索するための送信電力制御の開始要求をＸ２インターフェイス上でＰｅＮＢ１００−２に送信する。
【０１５３】
ステップＳ４７６において、ＰｅＮＢ１００−２は、送信電力制御の開始通知をＸ２インターフェイス上でＭｅＮＢ１００−１に送信する。
【０１５４】
ステップＳ４７７において、ＰｅＮＢ１００−２は、ＭｅＮＢ１００−１からの送信電力制御の開始要求に応じて、送信電力制御を開始する。詳細には、ＰｅＮＢ１００−２は、参照信号の送信電力を上昇（ブースト）させる。
【０１５５】
ステップＳ４７８において、ＭｅＮＢ１００−１は、ＭＵＥ２００−１からのメジャメントレポートを受信する。ＭｅＮＢ１００−１は、メジャメントレポートに含まれる情報を記録する。
【０１５６】
ステップＳ４７９において、ＰｅＮＢ１００−２は、与干渉ＵＥを探索するための送信電力制御を終了する。詳細には、ＰｅＮＢ１００−２は、上昇させていた参照信号の送信電力を元に戻す。
【０１５７】
ステップＳ４８０において、ＰｅＮＢ１００−２は、与干渉ＵＥを探索するための送信電力制御の終了通知をＸ２インターフェイス上でＭｅＮＢ１００−１に送信する。なお、与干渉ＵＥを探索するための送信電力制御を行う期間は、予めＭｅＮＢ１００−１及びＰｅＮＢ１００−２に設定されていてもよく、この場合には当該通知は不要である。
【０１５８】
ステップＳ４８１において、ＭｅＮＢ１００−１は、ステップＳ４７８で受信したメジャメントレポートに、ＰｅＮＢ１００−２についての測定結果（例えば、ＰｅＮＢ１００−２のセルＩＤに対応する測定結果）が含まれているか否かを確認する。ＰｅＮＢ１００−２についての測定結果がメジャメントレポートに含まれていない場合（ステップＳ４８１；ＮＯ）、処理を終了する。
【０１５９】
これに対し、ＰｅＮＢ１００−２についての測定結果がメジャメントレポートに含まれている場合（ステップＳ４８１；ＹＥＳ）、当該ＭＵＥ２００−１はＰｅＮＢ１００−２のカバレッジエリア端周辺に居る可能性が高いため、ＰｅＮＢ１００−２に対する上りリンクの与干渉ＵＥとして特定する。そして、ステップＳ４８２において、ＭｅＮＢ１００−１は、当該ＭＵＥ２００−１を他のセル（他のキャリアＣ２）へハンドオーバする。
【０１６０】
［その他の実施形態］
この開示の一部をなす論述及び図面はこの発明を限定するものであると理解すべきではない。この開示から当業者には様々な代替実施形態、実施例及び運用技術が明らかとなる。
【０１６１】
上述した各実施形態では、全てのＭＵＥ２００−１を対象としてメジャメントレポートから与干渉ＵＥを特定していた。しかしながら、以下に説明するように、対象とするＭＵＥ２００−１を選出した上で与干渉ＵＥを特定してもよい。
【０１６２】
図１１は、上述した第１実施形態に係る他の動作シーケンスである。
【０１６３】
図１１に示すように、ステップＳ１５１〜ステップＳ１５９は第１実施形態と同様である。
【０１６４】
ステップＳ１６０において、ＭｅＮＢ１００−１は、メジャメントレポートのトリガを変更するようＭＵＥ２００−１に対して設定する。例えば、サービングセル（プライマリセル）のメジャメント結果よりも、隣接セルのメジャメント結果にオフセット値を加えた値が良好であることをトリガ（「ｅｖｅｎｔ  Ａ３」と称される）としてメジャメントレポートを行うケースにおいては、当該オフセット値を小さくすることで、隣接セル（すなわち、ＰｅＮＢ１００−２）のメジャメントレポートを発生し易くする。
【０１６５】
ステップＳ１６１及びステップＳ１６２は第１実施形態と同様である。ステップＳ１６３〜ステップＳ１６６において、ＭＵＥ２００−１は、変更後のトリガに従ってメジャメントレポートをＭｅＮＢ１００−１に送信する。
【０１６６】
ステップＳ１６７で送信指向性制御を終了した後、ステップＳ１６８において、ＭｅＮＢ１００−１は、変更後のトリガに従ってメジャメントレポートを送信（ステップＳ１６３〜ステップＳ１６６）したＭＵＥ２００−１を、与干渉ＵＥの候補とすべき対象ＭＵＥ２００−１として選出し、当該対象ＭＵＥ２００−１に対して現在のＲＳＲＱを報告するよう要求する。ステップＳ１６９〜ステップＳ１７１は第１実施形態と同様である。
【０１６７】
このように、対象ＭＵＥ２００−１を絞り込んでから与干渉ＵＥを特定することによって、メジャメントレポートを送信するＭＵＥ２００−１の数を減らすことができる。
【０１６８】
図１２は、上述した第１実施形態の変更例に係る他の動作シーケンスである。
【０１６９】
図１２に示すように、ステップＳ１７５〜ステップＳ１８１は第１実施形態の変更例と同様である。
【０１７０】
ステップＳ１８２において、ＭｅＮＢ１００−１は、メジャメントレポートのトリガを変更するようＭＵＥ２００−１に対して設定する。例えば、サービングセル（プライマリセル）のメジャメント結果よりも、隣接セルのメジャメント結果にオフセット値を加えた値が良好であることをトリガ（「ｅｖｅｎｔ  Ａ３」と称される）としてメジャメントレポートを行うケースにおいては、当該オフセット値を小さくすることで、隣接セル（すなわち、ＰｅＮＢ１００−２）のメジャメントレポートを発生し易くする。
【０１７１】
ステップＳ１８３及びステップＳ１８４は第１実施形態と同様である。ステップＳ１８５〜ステップＳ１８８において、ＭＵＥ２００−１は、変更後のトリガに従ってメジャメントレポートをＭｅＮＢ１００−１に送信する。
【０１７２】
ステップＳ１８９で送信指向性制御を終了した後、ステップＳ１９０において、ＭｅＮＢ１００−１は、変更後のトリガに従ってメジャメントレポートを送信（ステップＳ１８５〜ステップＳ１８８）したＭＵＥ２００−１を、与干渉ＵＥの候補とすべき対象ＭＵＥ２００−１として選出し、当該対象ＭＵＥ２００−１に対して現在のＲＳＲＱを報告するよう要求する。ステップＳ１９１〜ステップＳ１９３は第１実施形態と同様である。
【０１７３】
このように、対象ＭＵＥ２００−１を絞り込んでから与干渉ＵＥを特定することによって、メジャメントレポートを送信するＭＵＥ２００−１の数を減らすことができる。
【０１７４】
上述した各実施形態は、別個独立に実施する場合に限らず、相互に組み合わせて実施してもよい。
【０１７５】
また、上述した各実施形態においてＸ２インターフェイス上で送受信されていた情報は、ＥＰＣを介してＳ１インターフェイスで送受信してもよい。
【０１７６】
さらに、上述した各実施形態においては、ＭｅＮＢ及びＰｅＮＢの組み合わせを例に説明したが、ＭｅＮＢ及びフェムトセル（ＨｅＮＢ）の組み合わせであってもよく、ＰｅＮＢ及びフェムトセル（ＨｅＮＢ）の組み合わせであってもよい。
【０１７７】
なお、米国仮出願第６１／５５５２５０号（２０１１年１１月３日出願）の全内容が、参照により、本願明細書に組み込まれている。
【産業上の利用可能性】
【０１７８】
以上のように、本発明は、上りリンクの与干渉ユーザ端末を特定できるので、移動通信などの無線通信分野において有用である。
【図１】
0005898227.tif 000002
【図２】
0005898227.tif 000003
【図３】
0005898227.tif 000004
【図４】
0005898227.tif 000005
【図５】
0005898227.tif 000006
【図６】
0005898227.tif 000007
【図７】
0005898227.tif 000008
【図８】
0005898227.tif 000009
【図９】
0005898227.tif 000010
【図１０】
0005898227.tif 000011
【図１１】
0005898227.tif 000012
【図１２】
0005898227.tif 000013